(57)【要約】【課題】  デバイスの消耗を防ぎつつ、省電力化を図ることが可能な情報処理装置、電力モード管理方法及び電力モード管理プログラムを提供することを目的とする。【解決手段】  消費電力の異なる複数の電力モードを備えた情報処理装置２であって、所定の情報が格納されている格納手段１１の電力モードが省電力状態であるときに、所定の情報に対する要求があると、所定の情報を複製して格納している他のサーバ装置４の所定の情報を利用する制御手段１０４を有することにより上記課題を解決する。【選択図】  図７
2006053902.tif 000002
【特許請求の範囲】
【請求項１】
消費電力の異なる複数の電力モードを備えた情報処理装置であって、
所定の情報が格納されている格納手段の電力モードが省電力状態であるときに、前記所定の情報に対する要求があると、前記所定の情報を複製して格納している他のサーバ装置の前記所定の情報を利用する制御手段を有することを特徴とする情報処理装置。
【請求項２】
前記制御手段は、前記他のサーバ装置から前記所定の情報を取得して前記要求に応じた処理を行なうことを特徴とする請求項１記載の情報処理装置。
【請求項３】
前記制御装置は、前記他のサーバ装置に前記要求に応じた処理の少なくとも一部を行わせた前記所定の情報を取得することを特徴とする請求項１記載の情報処理装置。
【請求項４】
前記制御装置は、前記他のサーバ装置に前記要求に応じた処理を全て行わせることを特徴とする請求項１記載の情報処理装置。
【請求項５】
前記制御手段は、前記所定の情報を管理する情報管理手段と、前記他のサーバ装置に対してサービスを要求する情報要求手段とを有し、
前記情報管理手段は前記格納手段の電力モードの状態を監視しており、前記格納手段の電力モードが省電力状態であるときに前記所定の情報に対する要求があると、前記情報要求手段を利用して前記他のサーバ装置の前記所定の情報を利用することを特徴とする請求項１記載の情報処理装置。
【請求項６】
前記制御手段は、前記所定の情報を管理する情報管理手段と、前記格納手段に対するアクセスを制御するアクセス制御手段と、前記他のサーバ装置に対してサービスを要求する情報要求手段とを有し、
前記情報管理手段は前記所定の情報に対する要求があると、その要求を前記アクセス制御手段に通知し、
前記アクセス制御手段は前記格納手段の電力モードの状態を監視しており、前記格納手段の電力モードが省電力状態であるときに前記所定の情報に対する要求があると、前記情報要求手段を利用して前記他のサーバ装置の前記所定の情報を利用することを特徴とする請求項１記載の情報処理装置。
【請求項７】
前記制御手段は、前記格納手段に格納されている所定の情報を更新するとき、前記他のサーバ装置に格納されている所定の情報を更新することを特徴とする請求項１記載の情報処理装置。
【請求項８】
前記制御手段は、前記電力モードが通常状態から省電力状態に遷移するとき、前記格納手段に格納されている所定の情報で前記他のサーバ装置に格納されている所定の情報を更新することを特徴とする請求項１記載の情報処理装置。
【請求項９】
前記制御手段は、前記格納手段に格納されている所定の情報のうち更新のあった情報を記録しておき、前記電力モードが通常状態から省電力状態に遷移するとき、前記格納手段に格納されている所定の情報のうち前記更新のあった情報で前記他のサーバ装置に格納されている所定の情報を更新することを特徴とする請求項１記載の情報処理装置。
【請求項１０】
前記制御手段は、前記他のサーバ装置からの前記所定の情報の取得に失敗すると、前記格納手段の電力モードを省電力状態から通常状態に遷移させ、前記格納手段から前記所定の情報を取得して前記要求に応じた処理を行うことを特徴とする請求項１記載の情報処理装置。
【請求項１１】
前記制御手段は、前記格納手段に格納されている所定の情報の少なくとも一部を記録するメモリ手段を更に有し、
前記格納手段の電力モードが省電力状態であるときに、前記メモリ手段に記録されている所定の情報に対する要求があると、前記メモリ手段の前記所定の情報を利用し、
前記メモリ手段に記録されていない所定の情報に対する要求があると、前記他のサーバ装置の前記所定の情報を利用することを特徴とする請求項１記載の情報処理装置。
【請求項１２】
前記制御手段は、前記情報処理装置の起動時に、前記格納手段に格納されている所定の情報を一括して前記他のサーバ装置に格納することを特徴とする請求項１記載の情報処理装置。
【請求項１３】
前記制御手段は、前記所定の情報に対する要求をクライアントからネットワーク経由で受信し、前記要求に応じた応答を前記クライアントに送信するか、又は前記他のサーバ装置に前記要求に応じた応答を前記クライアントに送信させることを特徴とする請求項１記載の情報処理装置。
【請求項１４】
前記制御手段の電力モードが省電力状態であるときに、クライアントから前記所定の情報に対する要求をネットワーク経由で受信すると、その要求を前記他のサーバ装置に転送し、前記他のサーバ装置からの応答を前記クライアントに転送する転送手段を更に有することを特徴とする請求項１記載の情報処理装置。
【請求項１５】
前記制御手段は、前記他のサーバ装置に対するサービスの要求をファイル転送プロトコルに準じて行うことを特徴とする請求項１記載の情報処理装置。
【請求項１６】
前記格納手段は、文書情報，ユーザ情報，ログ情報又は機器設定情報の少なくとも一種類を格納していることを特徴とする請求項１乃至１５何れか一項記載の情報処理装置。
【請求項１７】
前記格納手段は、ハードディスク装置であることを特徴とする請求項１乃至１６何れか一項記載の情報処理装置。
【請求項１８】
消費電力の異なる複数の電力モードを備えた情報処理装置の電力モード管理方法であって、
所定の情報に対する要求を受信するステップと、
前記所定の情報が格納されている格納手段の電力モードを判定するステップと、
前記電力モードが省電力状態であるときに、前記所定の情報を複製して格納している他のサーバ装置の前記所定の情報を利用するステップと
を有することを特徴とする電力モード管理方法。
【請求項１９】
前記他のサーバ装置からの前記所定の情報の取得に失敗したとき、前記格納手段の電力モードを省電力状態から通常状態に遷移させ、前記格納手段から前記所定の情報を取得して前記要求に応じた処理を行うステップを有することを特徴とする請求項１８記載の電力モード管理方法。
【請求項２０】
前記格納手段に格納されている所定の情報を更新するとき、前記他のサーバ装置に格納されている所定の情報を更新するステップを有することを特徴とする請求項１８記載の電力モード管理方法。
【請求項２１】
前記電力モードが通常状態から省電力状態に遷移するとき、前記格納手段に格納されている所定の情報で前記他のサーバ装置に格納されている所定の情報を更新するステップを有することを特徴とする請求項１８記載の電力モード管理方法。
【請求項２２】
前記格納手段に格納されている所定の情報のうち更新のあった情報を記録しておくステップと、
前記電力モードが通常状態から省電力状態に遷移するとき、前記格納手段に格納されている所定の情報のうち前記更新のあった情報で、前記他のサーバ装置に格納されている所定の情報を更新するステップとを有することを特徴とする請求項１８記載の電力モード管理方法。
【請求項２３】
消費電力の異なる複数の電力モードを備えたコンピュータを、
所定の情報が格納されている格納手段の電力モードが省電力状態であるときに、前記所定の情報に対する要求があると、前記所定の情報を複製して格納している他のサーバ装置の前記所定の情報を利用する制御手段
として機能させるための電力モード管理プログラム。
【発明の詳細な説明】
【技術分野】
【０００１】
本発明は、消費電力の異なる複数の電力モードを備えた情報処理装置、その情報処理装置の電力モード管理方法及び電力モード管理プログラムに係り、特に格納手段に格納されている所定の情報を複製して他のサーバ装置に格納している情報処理装置、その情報処理装置の電力モード管理方法及び電力モード管理プログラムに関する。
【背景技術】
【０００２】
近年、プリンタ，コピー，ファクシミリおよびスキャナなどの各装置の機能を１つの筐体内に収納した情報処理装置の応用例としての画像形成装置（以下、複合機という）が知られるようになった。このような複合機は、様々な機能をＷｅｂサービスにより提供している。例えばユーザは、ネットワークを介して複合機に接続されたクライアントからＷｅｂサービスを利用することで、複合機に格納されている各種情報の参照などを行うことができる。
【０００３】
また、多くの複合機では省電力化を図る為に、消費電力の異なる複数の電力モードを備えるようになった（例えば、特許文献１参照）。電力モードには、複合機を構成する各種デバイス等の全てに通電する通常状態と、必要最低限のデバイス等に通電する省電力状態とがある。省電力状態は、通電するデバイス等を段階的に少なくすることで、複数のレベルに分けることもできる。例えば複合機は、一定時間の間、使用されなかった場合に通常状態から省電力状態に遷移する。
【特許文献１】特開２００３−７２１９８号公報
【発明の開示】
【発明が解決しようとする課題】
【０００４】
省電力状態では、例えばＨＤＤ（ハードディスク装置）などのストレージデバイスも停電されている。複合機は、省電力状態中に処理要求を受けると、省電力状態から通常状態に遷移する。例えばネットワークを介して接続されたクライアントからストレージデバイスに格納されている各種情報の参照要求があった場合、複合機はストレージデバイスに通電を再開する必要があった。
【０００５】
このように、複数の電力モードを備えた複合機では、通常状態または省電力状態に遷移する度に、各種デバイス等への通電、停電が繰り返し行われる。しかしながら、各種デバイス等への通電、停電の繰り返しは、ストレージデバイスの消耗につながるという問題があった。
【０００６】
本発明は、上記の点に鑑みなされたもので、デバイスの消耗を防ぎつつ、省電力化を図ることが可能な情報処理装置、電力モード管理方法及び電力モード管理プログラムを提供することを目的とする。
【課題を解決するための手段】
【０００７】
上記課題を解決するため、本発明は、消費電力の異なる複数の電力モードを備えた情報処理装置であって、所定の情報が格納されている格納手段の電力モードが省電力状態であるときに、前記所定の情報に対する要求があると、前記所定の情報を複製して格納している他のサーバ装置の前記所定の情報を利用する制御手段を有することを特徴とする。
【０００８】
また、本発明は、消費電力の異なる複数の電力モードを備えた情報処理装置の電力モード管理方法であって、所定の情報に対する要求を受信するステップと、前記所定の情報が格納されている格納手段の電力モードを判定するステップと、前記電力モードが省電力状態であるときに、前記所定の情報を複製して格納している他のサーバ装置の前記所定の情報を利用するステップとを有することを特徴とする。
【０００９】
また、本発明は、消費電力の異なる複数の電力モードを備えたコンピュータを、所定の情報が格納されている格納手段の電力モードが省電力状態であるときに、前記所定の情報に対する要求があると、前記所定の情報を複製して格納している他のサーバ装置の前記所定の情報を利用する制御手段として機能させるための電力モード管理プログラムであることを特徴とする。
【００１０】
本発明では、所定の情報が格納されている格納手段の電力モードが省電力状態であるときに所定の情報に対する要求があると、所定の情報を複製して格納している他のサーバ装置の所定の情報を利用することで、格納手段の電力モードを省電力状態から通常状態に遷移することなく、所定の情報を利用できる。つまり、本発明では格納手段が通常状態または省電力状態に遷移する機会を減少させることにより、デバイスの消耗を防ぎつつ電力モードによる省電力化が可能である。
【発明の効果】
【００１１】
本発明によれば、デバイスの消耗を防ぎつつ、省電力化を図ることが可能な情報処理装置、電力モード管理方法及び電力モード管理プログラムを提供できる。
【発明を実施するための最良の形態】
【００１２】
次に、本発明を実施するための最良の形態を、以下の実施例に基づき図面を参照しつつ説明していく。なお、本実施例で言う文書情報とは、書誌情報，画像データ等、複合機で扱うことのできる全ての情報を含む。
【００１３】
図１は、複合機に格納されている文書情報をクライアントから参照する処理の模式図である。ユーザは、クライアント１を操作して例えば文書情報の参照を要求する。ステップＳ１では、クライアント１から文書情報の参照要求がインターネットやＬＡＮ（ローカルエリアネットワーク）などのネットワーク３経由で複合機２の文書管理サービス１０４に通知される。文書管理サービス１０４は、複合機１内の各種情報（文書情報を含む）を管理するモジュールである。
【００１４】
なお、クライアント１と複合機２の文書管理サービス１０４とは、ネットワーク３，ネットワークＩ／Ｆ１２，ＮＣＳ（ネットワークコントロールサービス）１０１を介して接続される。ＮＣＳ１０１は、ネットワーク３を介して接続されているクライアント１とのデータ通信を制御するモジュールである。ステップＳ２に進み、文書管理サービス１０４は参照要求により指定された文書情報（以下、指定文書情報という）の取得要求をＭＣＳ１１１に対して行う。ＭＣＳ１１１は、ＨＤＤ１１等のストレージデバイスに対するアクセスを制御するモジュールである。
【００１５】
ステップＳ３に進み、ＭＣＳ１１１は指定文書情報をＨＤＤ１１から取得する。ステップＳ４に進み、ＭＣＳ１１１は取得した指定文書情報をステップＳ２の取得要求に対する応答として文書管理サービス１０４に送信する。ステップＳ５に進み、文書管理サービス１０４はＭＣＳ１１１から受信した指定文書情報をステップＳ１の参照要求に対する応答としてネットワーク３経由でクライアント１に送信する。
【００１６】
なお、複合機２のＮＣＳ１０１，アプリＡ１０２，アプリＢ１０３，文書管理サービス１０４，ユーザ情報管理サービス１０５，ログ情報管理サービス１０６，機器設定情報管理サービス１０７，Ｗｅｂサービス１０８，ｘＣＳ  Ａ１０９，ｘＣＳ  Ｂ１１０，ＭＣＳ１１１，ｘＣＳ  Ｄ１１２は、コントローラボード上のソフトウェアモジュールの一例である。例えば複合機２は、特開２００２−８４３８３号公報に記載されているように構成してもよい。
【００１７】
図２は、複合機の一例のハードウェア構成図である。図２の複合機２は、コントローラボード１０，ネットワークＩ／Ｆ１２，プロッタ１３，スキャナ１４，操作部１５を有している。
【００１８】
コントローラボード１０は、ＣＰＵ２１，システムメモリ（ＭＥＭ−Ｐ）２２，ローカルメモリ（ＭＥＭ−Ｃ）２３，ＮＢ（ノースブリッジ）２４，ＳＢ（サウスブリッジ）２５，ＡＳＩＣ２６，ＨＤＤ１１を有している。なお、図２の複合機２の詳細は、例えば特開２００２−８４３８３号公報に記載されている。
【００１９】
複合機２は、電力モードが省電力状態であるとき、ＨＤＤ１１，プロッタ１３，スキャナ１４および操作部１５への通電を停止する。また、複合機２は電力モードが通常状態であるとき、コントローラボード１０，ネットワークＩ／Ｆ１２，プロッタ１３，スキャナ１４，操作部１５を含む全てのデバイスに通電する。
【００２０】
図３は、複合機における電力モードの状態遷移を表した模式図である。図３では、消費電力の異なる複数の電力モードとして、通常状態に相当するレベル３，省電力状態に相当するレベル２，レベル１を有する。レベル３の電力モードは、全モジュールを電源ＯＮとする。レベル２の電力モードは、操作部１５のパネル表示をＯＦＦ、その他のモジュールを電源ＯＮとする。
【００２１】
また、レベル１の電力モードは、操作部１５の入力スイッチのみＯＮ、プロッタ１３及びスキャナ１４のセンサのみＯＮ、ＨＤＤ１１の電源ＯＦＦ，その他のモジュールを電源ＯＮとする。
【００２２】
まず、主電源スイッチがＯＮされると、全モジュールの電源がＯＮとなり、複合機２はレベル３の電力モードに遷移する。操作部１５のスイッチ操作や設定時間経過により、複合機２はレベル３の電力モードからレベル２の電力モードに遷移する。また、操作部１５のスイッチ操作や設定時間経過により、複合機２はレベル２の電力モードからレベル１の電力モードに遷移する。
【００２３】
レベル２の電力モードにおいて、操作部１５のスイッチ操作やプロッタ１３，スキャナ１４のセンサ感知により、複合機２はレベル２の電力モードからレベル３の電力モードに遷移する。同様に、レベル１の電力モードにおいて、操作部１５のスイッチ操作やプロッタ１３，スキャナ１４のセンサ感知により、複合機２はレベル１の電力モードからレベル３の電力モードに遷移する。
【００２４】
また、レベル１の電力モードにおいて、ネットワークＩ／Ｆ１２からの要求により、複合機２はレベル１の電力モードからレベル２の電力モードに遷移する。レベル１〜３の電力モードにおいて、主電源スイッチがＯＦＦされると複合機２の全モジュールの電源はＯＦＦになる。
【００２５】
図４は、複合機が行う電力モード管理処理を表した模式図である。複合機２ａは、電力モード管理処理の前半を表している。また、複合機２ｂは電力モード管理処理の後半を表している。例えば操作部１５は、アプリＡ１０２によりパネル表示が行われている。
【００２６】
ユーザが操作部１５に対して電力モードの状態を遷移させるスイッチ操作を行うと、操作部１５はユーザからのスイッチ操作をアプリＡ１０２に通知する。アプリＡ１０２は電力モード遷移依頼をＳＣＳ（システムコントロールサービス）１１３に通知する。ＳＣＳ１１３は、電力モードを管理するモジュールである。なお、ＳＣＳ１１３はタイマー機能を有しており、設定時間が経過したときにタイマー機能から電力モード遷移依頼を通知される。
【００２７】
ＳＣＳ１１３は、アプリＡ１０２又はタイマー機能から電力モード遷移依頼を通知されると、アプリＡ１０２以外のアプリＢ１０３，文書管理サービス１０４又はＷｅｂサービス１０８等のモジュールに電力モード変更可否問い合わせを行う。
【００２８】
アプリＡ１０２，アプリＢ１０３，文書管理サービス１０４又はＷｅｂサービス１０８等のモジュールは、それぞれ電力モードのレベルと、その電力モードのレベルの変更可否の情報とを有している。アプリＡ１０２以外のアプリＢ１０３，文書管理サービス１０４又はＷｅｂサービス１０８等のモジュールは、電力モード変更可否問い合わせに対する電力モード変更可否問い合わせ応答をＳＣＳ１１３に行う。ＳＣＳ１１３は、電力モード変更可否問い合わせ応答に応じて電力モードの状態遷移を行うか否かを判定し、電力モード遷移依頼に対する電力モード遷移依頼応答をアプリＡ１０２に対して行う。そして、アプリＡ１０２は電力モード遷移依頼応答に応じたパネル表示を操作部１５に行わせる。
【００２９】
図５は、レベル１の電力モードの複合機に格納されている文書情報をクライアントが取得する処理のシーケンス図である。ステップＳ１１では、クライアント１からの文書情報取得要求が文書管理サービス１０４に通知される。文書管理サービス１０４は、前述した電力モード遷移依頼をＳＣＳ１１３に通知する。ここでは、電力モードがレベル１からレベル２に遷移する。ステップＳ１２の後、ＨＤＤ１１が通電される。ＨＤＤ１１が通電されると、ＳＣＳ１１３はステップＳ１２の電力モード遷移依頼に対する電力モード遷移応答を文書管理サービス１０４に通知する。
【００３０】
ステップＳ１４に進み、文書管理サービス１０４はステップＳ１１の文書情報取得要求により指定された指定文書情報の文書情報取得要求をＭＣＳ１１１に対して行う。ステップＳ１５に進み、ＭＣＳ１１１はＨＤＤ１１に格納されている指定文書情報を取得する。
【００３１】
ステップＳ１６に進み、ＭＣＳ１１１は取得した指定文書情報をステップＳ１４の文書情報取得要求に対する応答として文書管理サービス１０４に送信する。ステップＳ１７に進み、文書管理サービス１０４はＭＣＳ１１１から受信した指定文書情報をステップＳ１１の文書情報取得要求に対する応答としてクライアント１に送信する。なお、ステップＳ１８では、ＳＣＳ１１３のタイマー機能により設定時間が経過したときにＨＤＤ１１への通電が停止される。
【００３２】
図５のシーケンス図では、文書情報取得要求を受信すると、停電されていたＨＤＤ１１に通電を再開する必要がある。つまり、複数の電力モードを備えた複合機は通常状態または省電力状態に遷移する度に、各種デバイス等への通電、停電を繰り返し行っている。このような、各種デバイス等への通電、停電の繰り返しは、ストレージデバイスの消耗及び消費電力の増大につながる。
【００３３】
そこで、本発明では複合機２のＨＤＤ１１に格納されている文書情報を、省電力状態に遷移しない他の装置やデバイスに複製して格納しておくことで、停電されているＨＤＤ１１に通電を再開することなく、ＨＤＤ１１に格納されている文書情報と同じ文書情報を利用できる。このため、本発明ではＨＤＤ１１への通電、停電の繰り返しを減少させてＨＤＤ１１の消耗を防ぎつつ電力モードによる省電力化が可能である。
【００３４】
複合機２のＨＤＤ１１に格納されている文書情報を複製して格納しておく他の装置の一例としては、複合機２とネットワーク３を介して接続可能なリプリケーションサーバ（Ｒｅｐｌｉｃａｔｉｏｎ  Ｓｅｒｖｅｒ）がある。
【００３５】
図６は、複合機，クライアントおよびリプリケーションサーバを備えたシステムの一例の構成図である。図６のシステムでは、１つ以上のクライアント１と，１つ以上の複合機２と，リプリケーションサーバ４とが、ネットワーク３経由で接続されている。図６の複合機２は電力モードが省電力状態に遷移している。また、リプリケーションサーバ４は複数の電力モードを備えていないため、省電力状態に遷移しない。したがって、リプリケーションサーバ４のＨＤＤは、常に通電されている。
【００３６】
図６のシステムでは、リプリケーションサーバ４が省電力状態に遷移しない代わりに１つ以上の複合機１が省電力状態に遷移可能であるため、複合機１の数が増加するに従って効果的な省電力化が図れる。
【実施例１】
【００３７】
図７は、複合機に格納されている文書情報をクライアントから参照する処理の一実施例の模式図である。なお、図７では説明に必要のない構成を省略している。ユーザは、クライアント１を操作して文書情報の参照を要求する。ステップＳ２１では、クライアント１から文書情報の参照要求がネットワーク３経由で複合機２の文書管理サービス１０４に通知される。
【００３８】
文書管理サービス１０４は、ＨＤＤ１１が通電されている電源ＯＮか停電されている電源ＯＦＦかを監視している。文書管理サービス１０４は、ＨＤＤ１１の電源ＯＮのときに文書情報の参照要求があると、前述したように、ＭＣＳ１１１経由でＨＤＤ１１から指定文書情報を取得し、その指定文書情報をステップＳ２１の参照要求に対する応答としてネットワーク３経由でクライアント１に送信する。
【００３９】
一方、文書管理サービス１０４は、ＨＤＤ１１の電源ＯＦＦのときに文書情報の参照要求があると、ステップＳ２２に進み、文書管理クライアント１１４に文書情報の参照要求を通知する。文書管理クライアント１１４は、リプリケーションサーバ４からサービスの提供を受けるモジュールである。
【００４０】
ステップＳ２３に進み、文書管理クライアント１１４はネットワーク３経由で文書情報の参照要求をリプリケーションサーバ４の文書管理サービス２０３に通知する。なお、文書管理クライアント１１４とリプリケーションサーバ４の文書管理サービス２０３とはＮＣＳ１０１，ネットワークＩ／Ｆ１２，ネットワーク３，ネットワークＩ／Ｆ２０１，ＮＣＳ２０２を介して接続される。また、リプリケーションサーバ４の文書管理サービス２０３は、リプリケーションサーバ４内の各種情報（文書情報を含む）を管理するモジュールである。
【００４１】
ステップＳ２４に進み、文書管理サービス２０３は指定文書情報をＨＤＤ２０４から取得する。ＨＤＤ２０４には、複合機２のＨＤＤ１１に格納されている文書情報の複製が予め格納されている。ステップＳ２５に進み、文書管理サービス２０３は取得した指定文書情報をステップＳ２３の参照要求に対する応答として複合機２の文書管理クライアント１１４に送信する。なお、文書管理サービス２０３はＨＤＤ２０４から取得した指定文書情報をそのまま送信してもよいし、クライアント１に送信可能なデータ形式に加工した後で送信してもよい。
【００４２】
ステップＳ２６に進み、文書管理クライアント１１４は受信した指定文書情報をステップＳ２２の参照要求に対する応答として文書管理サービス１０４に送信する。ステップＳ２７に進み、文書管理サービス１０４は受信した指定文書情報をステップＳ２１の参照要求に対する応答としてネットワーク３経由でクライアント１に送信する。
【００４３】
図７の処理によれば、省電力状態に遷移しないリプリケーションサーバ４へ複合機２のＨＤＤ１１に格納されている文書情報の複製を格納しておくことで、電源ＯＦＦのＨＤＤ１１を電源ＯＮにすることなく、ＨＤＤ１１に格納されている文書情報と同じ文書情報を利用できる。
【００４４】
図８は、複合機に格納されている文書情報をクライアントから参照する処理の一実施例の模式図である。なお、図８の模式図は一部を除いて図７の模式図と同様であり、適宜説明を省略する。
【００４５】
ステップＳ３１では、クライアント１から文書情報の参照要求がネットワーク３経由で複合機２の文書管理サービス１０４に通知される。文書管理サービス１０４はステップＳ３２に進み、指定文書情報の参照要求をＭＣＳ１１１に対して行う。ＭＣＳ１１１は、ＨＤＤ１１が電源ＯＮか電源ＯＦＦかを監視している。ＭＣＳ１１１は、ＨＤＤ１１の電源ＯＮのときに文書情報の参照要求があると、前述したように、ＨＤＤ１１から指定文書情報を取得し、その指定文書情報をステップＳ３２の参照要求に対する応答として文書管理サービス１０４に送信する。そして、文書管理サービス１０４は、受信した指定文書情報をステップＳ３１の参照要求に対する応答としてネットワーク３経由でクライアント１に送信する。
【００４６】
一方、ＨＤＤ１１の電源ＯＦＦのときに文書情報の参照要求があると、ＭＣＳ１１１はステップＳ３３に進み、文書情報の参照要求を文書管理クライアント１１４に対して通知する。なお、ステップＳ３４及びＳ３５では、図７のステップＳ２３〜Ｓ２５と同様に文書管理クライアント１１４がリプリケーションサーバ４から指定文書情報を取得する。
【００４７】
ステップＳ３６に進み、文書管理クライアント１１４は受信した指定文書情報をステップＳ３３の参照要求に対する応答としてＭＣＳ１１１に送信する。また、ステップＳ３７に進み、ＭＣＳ１１１は受信した指定文書情報をステップＳ３２の参照要求に対する応答として文書管理サービス１０４に送信する。そして、文書管理サービス１０４はステップＳ３８に進み、受信した指定文書情報をステップＳ３１の参照要求に対する応答としてネットワーク３経由でクライアント１に送信する。
【００４８】
図８の処理によれば、省電力状態に遷移しないリプリケーションサーバ４へ複合機２のＨＤＤ１１に格納されている文書情報の複製を格納しておくことで、電源ＯＦＦのＨＤＤ１１を電源ＯＮにすることなく、ＨＤＤ１１に格納されている文書情報と同じ文書情報を利用できる。
【００４９】
図９は、リプリケーションサーバに格納されている文書情報を更新する処理の一実施例の模式図である。ユーザが操作部１５を利用して文書操作を行うと、操作部１５はステップＳ４１に進み、文書操作の内容をアプリＡ１０２に通知する。アプリＡ１０２は、文書操作の内容に応じて指定文書情報の作成や変更を行う。
【００５０】
ステップＳ４２に進み、アプリＡ１０２は指定文書情報をＨＤＤ１１に格納する格納要求をＭＣＳ１１１に対して行う。ステップＳ４３に進み、ＭＣＳ１１１は指定文書情報をＨＤＤ１１に格納する。ステップＳ４４に進み、ＭＣＳ１１１はステップＳ４２の格納要求に対する格納応答をアプリＡ１０２に通知する。ステップＳ４５に進み、アプリＡ１０２は格納応答に応じたパネル表示を操作部１５に行わせる。
【００５１】
また、ＭＣＳ１１１はステップＳ４６に進み、文書管理サービス１０４に対して文書情報変化通知を行う。ステップＳ４７に進み、文書管理サービス１０４は指定文書情報をリプリケーションサーバ４のＨＤＤ２０４に格納する格納要求を文書管理クライアント１１４に対して行う。
【００５２】
ステップＳ４８に進み、文書管理クライアント１１４はネットワーク経由で指定文書情報の格納要求をリプリケーションサーバ４の文書管理サービス２０３に通知する。ステップＳ４９に進み、文書管理サービス２０３は指定文書情報をＨＤＤ２０４に格納する。ステップＳ５０に進み、文書管理サービス２０３はステップＳ４８の格納要求に対する応答を複合機２の文書管理クライアント１１４に送信する。ステップＳ５１に進み、文書管理クライアント１１４はステップＳ４７の格納要求に対する応答を文書管理サービス１０４に送信する。
【００５３】
図９の処理によれば、複合機２のＨＤＤ１１に格納されている文書情報の更新内容に応じて、リプリケーションサーバ４のＨＤＤ２０４に格納されている文書情報を更新することができる。
【００５４】
図１０は、複合機に格納されている文書情報をクライアントから参照する処理の一実施例のシーケンス図である。なお、図１０のシーケンス図は、リプリケーションサーバ４に格納されている文書情報の参照に失敗した例を表している。
【００５５】
ステップＳ６１〜Ｓ６３の処理は、図７のステップＳ２１〜Ｓ２３と同様であり、説明を省略する。指定文書情報の取得に失敗すると、リプリケーションサーバ４はステップＳ６４に進み、ステップＳ６３の参照要求に対する失敗応答を複合機２の文書管理クライアント１１４に送信する。
【００５６】
ステップＳ６５に進み、文書管理クライアント１１４はリプリケーションサーバ４から失敗応答を受信したとき又はリプリケーションサーバ４からの応答が無かったときに、ステップＳ６２の参照要求に対する失敗応答を文書管理サービス１０４に送信する。ステップＳ６６に進み、文書管理サービス１０４は、前述した電力モード遷移依頼をＳＣＳ１１３に通知する。ここでは、電力モードがレベル１からレベル２に遷移する。
【００５７】
ステップＳ６７に進み、ＳＣＳ１１３はＨＤＤ１１への通電を再開させる。ＨＤＤ１１が通電されると、ＳＣＳ１１３はステップＳ６８に進み、ステップＳ６６の電力モード遷移依頼に対する電力モード遷移応答を文書管理サービス１０４に通知する。なお、ステップＳ６９〜Ｓ７２の処理は図１のステップＳ２〜Ｓ５と同様であり、説明を省略する。ステップＳ７３では、ＳＣＳ１１３のタイマー機能により設定時間が経過したときにＨＤＤ１１への通電が停止される。
【００５８】
図１０の処理によれば、リプリケーションサーバ４に格納されている文書情報の参照に失敗しても、電源ＯＦＦのＨＤＤ１１を電源ＯＮにすることで、ＨＤＤ１１に格納されている文書情報を利用できる。
【実施例２】
【００５９】
実施例１では、クライアント１から通知された文書情報の参照要求に対する応答を文書管理サービス１０４から行なう例を示したが、その他の例も可能である。図１１は、複合機に格納されている文書情報を、クライアントから参照する処理の他の実施例の模式図である。なお、図１１の模式図は一部を除いて図７の模式図と同様であり、適宜説明を省略する。
【００６０】
ユーザは、クライアント１を操作して文書情報の参照を要求する。ステップＳ２０１では、クライアント１から文書情報の参照要求がネットワーク３経由で複合機２の文書管理サービス１０４に通知される。
【００６１】
文書管理サービス１０４は、ＨＤＤ１１の電源ＯＮのときに文書情報の参照要求があると、前述したように、ＭＣＳ１１１経由でＨＤＤ１１から指定文書情報を取得し、その指定文書情報をステップＳ２０１の参照要求に対する応答としてネットワーク３経由でクライアント１に送信する。
【００６２】
一方、文書管理サービス１０４は、ＨＤＤ１１の電源ＯＦＦのときに文書情報の参照要求があると、ステップＳ２０２に進み、ステップＳ２０１の参照要求を受け付けたことを通知する為の応答をクライアント１に送信する。
【００６３】
ステップＳ２０３に進み、文書管理サービス１０４は文書管理クライアント１１４に文書情報の参照要求を通知する。ステップＳ２０４に進み、文書管理クライアント１１４はネットワーク３経由で文書情報の参照要求をリプリケーションサーバ４の文書管理サービス２０３に通知する。
【００６４】
ステップＳ２０５に進み、文書管理サービス２０３は指定文書情報をＨＤＤ２０４から取得する。ＨＤＤ２０４には、複合機２のＨＤＤ１１に格納されている文書情報の複製が予め格納されている。ステップＳ２０６に進み、文書管理サービス２０３は取得した指定文書情報をステップＳ２０１の参照要求に対する応答としてネットワーク３経由でクライアント１に送信する。
【００６５】
図１１の処理によれば、省電力状態に遷移しないリプリケーションサーバ４へ複合機２のＨＤＤ１１に格納されている文書情報の複製を格納しておくことで、電源ＯＦＦのＨＤＤ１１を電源ＯＮにすることなく、ＨＤＤ１１に格納されている文書情報と同じ文書情報を利用できる。
【００６６】
図１２は、複合機に格納されている文書情報を、クライアントから参照する処理の他の実施例の模式図である。なお、図１２の模式図は一部を除いて図７の模式図と同様であるため、適宜説明を省略する。
【００６７】
ステップＳ２１１〜Ｓ２１５の処理は、図１１のステップＳ２０１〜Ｓ２０５と同様であり、説明を省略する。ステップＳ２１６に進み、文書管理サービス２０３は取得した指定文書情報をステップＳ２１４の参照要求に対する応答として複合機２の文書管理クライアント１１４に送信する。なお、文書管理サービス２０３はＨＤＤ２０４から取得した指定文書情報をそのまま送信してもよいし、クライアント１に送信可能なデータ形式に加工した後で送信してもよい。
【００６８】
ステップＳ２１７に進み、文書管理クライアント１１４は受信した指定文書情報をステップＳ２１１の参照要求に対する応答としてネットワーク３経由でクライアント１に送信する。
【００６９】
図１２の処理によれば、省電力状態に遷移しないリプリケーションサーバ４へ複合機２のＨＤＤ１１に格納されている文書情報の複製を格納しておくことで、電源ＯＦＦのＨＤＤ１１を電源ＯＮにすることなく、ＨＤＤ１１に格納されている文書情報と同じ文書情報を利用できる。
【００７０】
図１１及び図１２の処理では、文書管理サービス２０３が、ＨＤＤ２０４から取得した指定文書情報をそのまま送信してもよいし、クライアント１に送信可能なデータ形式に加工した後で送信してもよい。例えば文書管理サービス２０３は、ＨＤＤ２０４から取得した指定文書情報が書誌情報であるか画像データであるかに応じて、図１３のように処理を異ならせることも可能である。
【００７１】
図１３は、文書管理サービス２０３の処理を表したフローチャートである。ステップＳ２２１に進み、文書管理サービス２０３は文書管理クライアント１１４から文書情報の取得要求を通知される。
【００７２】
ステップＳ２２２に進み、文書管理サービス２０３は指定文書情報をＨＤＤ２０４から取得する。ステップＳ２２３に進み、文書管理サービス２０３はＨＤＤ２０４から取得した指定文書情報が画像データか否かを判定する。
【００７３】
指定文書情報が画像データであれば（Ｓ２２３においてＹＥＳ）、文書管理サービス２０３はステップＳ２２４に進み、その画像データをフォーマット変換したあと、ステップＳ２２５に進む。指定文書情報が画像データでない場合（Ｓ２２３においてＮＯ）、文書管理サービス２０３はステップＳ２２５に進む。ステップＳ２２５では、文書管理サービス２０３が、ＨＤＤ２０４から取得した画像データ以外の書誌情報等をそのまま、又はステップＳ２２４でフォーマット変換した画像データを文書情報として送信する。なお、ステップＳ２２４のフォーマット変換は処理の一例であって、如何なる処理であってもよい。
【００７４】
図１３の処理によれば、ＨＤＤ２０４から取得した指定文書情報の種類に応じて、指定文書情報に対する処理を異ならせることができる。
【実施例３】
【００７５】
複合機２のＨＤＤ１１に格納されている文書情報を複製して格納しておくデバイスの一例としては、コントローラボード１０上のメモリ領域がある。そこで、実施例３では複合機２のＨＤＤ１１に格納されている文書情報を複製して、コントローラボード１０上のメモリ領域にキャッシュすると共に、リプリケーションサーバ４のＨＤＤ２０４に格納しておく例を説明する。
【００７６】
図１４は、複合機に格納されている文書情報をクライアントから参照する処理の一実施例の模式図である。図１４の模式図は、コントローラボード１０上のメモリ領域にキャッシュされている文書情報を参照する例である。
【００７７】
ステップＳ８１では、クライアント１から文書情報の参照要求がネットワーク３経由で複合機２の文書管理サービス１０４に通知される。文書管理サービス１０４のメソッドディスパッチャ３０１はステップＳ８２に進み、ステップＳ８１の参照要求をディスパッチし、文書プロパティ参照部３０２に文書情報の参照要求を通知する。
【００７８】
ステップＳ８３に進み、文書プロパティ参照部３０２は文書情報キャッシュ管理部３０３に文書情報の参照要求を通知する。ステップＳ８４に進み、文書情報キャッシュ管理部３０３はコントローラボード１０上のメモリ領域に指定文書情報があれば、指定文書情報を取得する。
【００７９】
ステップＳ８５に進み、文書情報キャッシュ管理部３０３は取得した指定文書情報を文書プロパティ参照部３０２に送信する。なお、文書情報キャッシュ管理部３０３はコントローラボード１０上のメモリ領域に指定文書情報がなければ、その旨を文書プロパティ参照部３０２に通知する。文書プロパティ参照部３０２は、コントローラボード１０上のメモリ領域に指定文書情報がなければ、例えば図１のステップＳ２に進み、指定文書情報の取得要求をＭＣＳ１１１に対して行う。
【００８０】
文書プロパティ参照部３０２は、ステップＳ８６に進み、受信した指定文書情報をメソッドディスパッチャ３０１に送信する。ステップＳ８７に進み、文書管理サービス１０４のメソッドディスパッチャ３０１は受信した指定文書情報をステップＳ８１の参照要求に対する応答としてネットワーク３経由でクライアント１に送信する。
【００８１】
図１５は、メモリ領域にキャッシュされている文書情報を更新する処理の一実施例の模式図である。ステップＳ９１〜Ｓ９５の処理は、図９のステップＳ４１〜Ｓ４５の処理と同様であり、説明を省略する。
【００８２】
ＭＣＳ１１１はステップＳ９６に進み、文書管理サービス１０４に対して文書情報変化通知を行う。文書管理サービス１０４のＭＣＳ  Ｉ／Ｆ３０４は、ステップＳ９６の文書情報変化通知を通知されると、ステップＳ９７に進み、指定文書情報のキャッシュ要求を文書情報キャッシュ管理部３０３に対して行う。ステップＳ９８に進み、文書情報キャッシュ管理部３０３は指定文書情報をメモリ領域にキャッシュする。
【００８３】
図１５の処理によれば、複合機２のＨＤＤ１１に格納されている文書情報の更新内容に応じて、コントローラボード１０のメモリ領域にキャッシュされている文書情報を更新することができる。
【００８４】
図１６は、複合機に格納されている文書情報をクライアントから参照する処理の一実施例の模式図である。図１６の模式図は、コントローラボード１０上のメモリ領域にキャッシュされている文書情報またはリプリケーションサーバ４に格納されている文書情報を参照する例である。
【００８５】
ステップＳ１０１では、クライアント１から文書情報の参照要求がネットワーク３経由で複合機２の文書管理サービス１０４に通知される。文書管理サービス１０４は、前述したようにコントローラ１０上のメモリ領域に指定文書情報がキャッシュされているか否かを判定する。キャッシュされていれば、文書管理サービス１０４はステップＳ１０６に進み、指定文書情報をステップＳ１０１の参照要求に対する応答としてネットワーク３経由でクライアント１に送信する。
【００８６】
キャッシュされていなければ、文書管理サービス１０４はステップＳ１０２に進み、文書管理クライアント１１４に文書情報の参照要求を通知する。なお、ステップＳ１０３及びＳ１０４では、図７のステップＳ２３〜Ｓ２５と同様に文書管理クライアント１１４がリプリケーションサーバ４から指定文書情報を取得する。
【００８７】
ステップＳ１０５に進み、文書管理クライアント１１４は受信した指定文書情報をステップＳ１０２の参照要求に対する応答として文書管理サービス１０４に送信する。文書管理サービス１０４は、ステップＳ１０６に進み、受信した指定文書情報をステップＳ１０１の参照要求に対する応答としてネットワーク３経由でクライアント１に送信する。
【００８８】
なお、コントローラ１０上のメモリ領域に文書情報をキャッシュする場合、リソースの制約上、利用可能なメモリ領域は限られている。つまり、キャッシュできる文書情報数には上限があった。図１５の模式図では、メモリ領域にキャッシュされている文書情報をＭＣＳ１１１から文書情報変化通知があったタイミングで更新しているが、キャッシュされている文書情報数が上限に達している場合、以下のように処理を行う。
【００８９】
例えば第１の処理として、文書管理サービス１０４は、文書情報変化通知が文書情報の削除を表している場合のみ指定文書情報のキャッシュを削除し、新規作成や更新を表している場合、キャッシュを操作しないことが考えられる。
【００９０】
第２の処理として、文書管理サービス１０４は、指定文書情報がキャッシュされていない場合に、最古に更新された文書情報のキャッシュを削除し、指定文書情報を新たにキャッシュすることが考えられる。また、第３の処理として、文書管理サービス１０４は、指定文書情報がキャッシュされていない場合に、最古に参照された文書情報のキャッシュを削除し、指定文書情報を新たにキャッシュすることが考えられる。
【００９１】
図１７は、リプリケーションサーバに格納されている文書情報を更新する処理の一実施例の模式図である。なお、図１７の模式図はＨＤＤを電源ＯＦＦする直前に全文書情報を更新する例である。ステップＳ１１１では、ＳＣＳ１１３がＨＤＤ１１の電源ＯＦＦ可否問い合わせを文書管理サービス１０４に対して行う。
【００９２】
ステップＳ１１２に進み、文書管理サービス１０４は全文書情報の取得要求をＭＣＳ１１１に対して行う。ステップＳ１１３に進み、ＭＣＳ１１１はＨＤＤ１１から全文書情報を取得する。ステップＳ１１４に進み、ＭＣＳ１１１は取得した全文書情報をステップＳ１１２の取得要求に対する応答として文書管理サービス１０４に送信する。ステップＳ１１５に進み、文書管理サービス１０４は全文書情報をリプリケーションサーバ４に格納する格納要求を文書管理クライアント１１４に対して行う。
【００９３】
ステップＳ１１６に進み、文書管理クライアント１１４はネットワーク経由で全文書情報の格納要求をリプリケーションサーバ４に通知する。リプリケーションサーバ４は、全文書情報を格納する。ステップＳ１１７に進み、リプリケーションサーバ４はステップＳ１１６の格納要求に対する応答を複合機２の文書管理クライアント１１４に送信する。
【００９４】
ステップＳ１１８に進み、文書管理クライアント１１４はステップＳ１１５の格納要求に対する応答を文書管理サービス１０４に送信する。ステップＳ１１９に進み、文書管理サービス１０４はステップＳ１１１のＨＤＤ１１の電源ＯＦＦ可否問い合わせ応答をＳＣＳ１１３に送信する。ステップＳ１２０に進み、ＳＣＳ１１３はＨＤＤ１１を電源ＯＦＦする。
【００９５】
図１７の処理によれば、ＨＤＤを電源ＯＦＦする直前に、複合機２のＨＤＤ１１に格納されている全文書情報をリプリケーションサーバ４に格納することができる。
【００９６】
図１８は、リプリケーションサーバに格納されている文書情報を更新する処理の一実施例の模式図である。なお、図１８の模式図はＨＤＤを電源ＯＦＦする直前に、文書情報変化通知のあった文書情報を更新する例である。
【００９７】
ステップＳ１２１では、ＳＣＳ１１３がＨＤＤ１１の電源ＯＦＦ可否問い合わせを文書管理サービス１０４に対して行う。文書管理サービス１０４は、前述したようなＭＣＳ１１１からの文書情報変化通知を受信すると、その文書情報変化通知に対応する文書情報の文書ＩＤをキャッシュしている。
【００９８】
ステップＳ１２２に進み、文書管理サービス１０４はキャッシュしている文書ＩＤに対応する文書情報の取得要求をＭＣＳ１１１に対して行う。ステップＳ１２３に進み、ＭＣＳ１１１はＨＤＤ１１から文書ＩＤに対応する文書情報を取得する。ステップＳ１２４に進み、ＭＣＳ１１１は取得した文書情報をステップＳ１２２の取得要求に対する応答として文書管理サービス１０４に送信する。ステップＳ１２５に進み、文書管理サービス１０４は受信した文書情報をリプリケーションサーバ４に格納する格納要求を文書管理クライアント１１４に対して行う。
【００９９】
ステップＳ１２６に進み、文書管理クライアント１１４はネットワーク経由で文書情報の格納要求をリプリケーションサーバ４に通知する。リプリケーションサーバ４は、受信した文書情報を格納する。ステップＳ１２７に進み、リプリケーションサーバ４はステップＳ１２６の格納要求に対する応答を、複合機２の文書管理クライアント１１４に送信する。
【０１００】
ステップＳ１２８に進み、文書管理クライアント１１４はステップＳ１２５の格納要求に対する応答を文書管理サービス１０４に送信する。この後、図１７のステップＳ１１９及びＳ１２０と同様に、文書管理サービス１０４がステップＳ１２１のＨＤＤ１１の電源ＯＦＦ可否問い合わせ応答をＳＣＳ１１３に送信し、ＳＣＳ１１３がＨＤＤ１１を電源ＯＦＦする。
【０１０１】
図１８の処理によれば、ＨＤＤを電源ＯＦＦする直前に、複合機２のＨＤＤ１１に格納されている文書情報のうち文書情報変化通知のあった文書情報をリプリケーションサーバ４に格納することができる。
【０１０２】
図１９は、リプリケーションサーバに格納されている文書情報を更新する処理の一実施例の模式図である。なお、図１９の模式図は複合機２のシステム起動時に、全文書情報を更新する例である。
【０１０３】
ステップＳ１３１では、複合機２のシステムが起動される。ステップＳ１３２〜Ｓ１３４では、文書管理サービス１０４が、図１７のステップＳ１１２〜Ｓ１１４と同様な処理により全文書情報を取得する。また、ステップＳ１３５〜Ｓ１３８では、文書管理サービス１０４が、図１７のステップＳ１１５〜Ｓ１１８と同様な処理により、全文書情報をリプリケーションサーバ４に格納する。
【０１０４】
図１９の処理によれば、複合機２のシステム起動時に、複合機２のＨＤＤ１１に格納されている全文書情報をリプリケーションサーバ４に格納することができる。
【実施例４】
【０１０５】
図２０は、複合機に格納されている文書情報をクライアントから参照する処理の一実施例の模式図である。なお、図２０の模式図はＦＴＰを利用し、リプリケーションサーバ４に格納されている文書情報を取得する例である。
【０１０６】
ステップＳ１４１では、クライアント１から文書情報の参照要求がネットワーク３経由で複合機２の文書管理サービス１０４に通知される。文書管理サービス１０４は、ＨＤＤ１１の電源ＯＦＦのときに文書情報の参照要求があると、ステップＳ１４２に進み、ＦＴＰを利用してリプリケーションサーバ４のＨＤＤ２０４から指定文書情報を取得する。ステップＳ１４２では、ＮＣＳ１０１に含まれるＦＴＰクライアントが利用される。
【０１０７】
ステップＳ１４３に進み、文書管理サービス１０４は取得した指定文書情報をステップＳ１４１の参照要求に対する応答として、ネットワーク３経由でクライアント１に送信する。
【０１０８】
図２０の処理によれば、省電力状態に遷移しないリプリケーションサーバ４へ複合機２のＨＤＤ１１に格納されている文書情報の複製を格納しておき、ＦＴＰを利用してリプリケーションサーバ４から文書情報を取得できる。
【０１０９】
図２１は、リプリケーションサーバ４に文書情報を格納するときに、複合機２からリプリケーションサーバ４に送信される文書情報を概略的に表した模式図である。例えば文書管理クライアント１１４は図２１のような文書情報４０１をリプリケーションサーバ４に送信することで、文書情報をリプリケーションサーバ４に格納できる。
【０１１０】
図２２は、リプリケーションサーバ４にユーザ情報を格納するときに、複合機２からリプリケーションサーバ４に送信されるユーザ情報を概略的に表した模式図である。例えばユーザ情報管理クライアント１１６は図２２のユーザ情報４０２をリプリケーションサーバ４に送信することで、ユーザ情報をリプリケーションサーバ４に格納できる。
【０１１１】
図２３は、リプリケーションサーバ４にログ情報を格納するときに、複合機２からリプリケーションサーバ４に送信されるログ情報を概略的に表した模式図である。例えばログ管理クライアント１１８は図２３のログ情報４０３をリプリケーションサーバ４に送信することで、ログ情報をリプリケーションサーバ４に格納できる。
【０１１２】
図２４は、リプリケーションサーバ４に機器設定情報を格納するときに、複合機２からリプリケーションサーバ４に送信される機器設定情報を概略的に表した模式図である。例えば機器設定情報管理クライアント１１９は図２４のような機器設定情報４０４をリプリケーションサーバ４に送信することで、機器設定情報をリプリケーションサーバ４に格納することができる。
【実施例５】
【０１１３】
実施例１〜４では、コントローラボード１０を電源ＯＮとしていたが、ネットワークＩ／Ｆ１２以外を電源ＯＦＦする構成も可能である。図２５は、複合機に格納されている文書情報をクライアントから参照する処理の一実施例のシーケンス図である。なお、図２５の模式図は、ネットワークＩ／Ｆ１２以外が電源ＯＦＦである例を表している。
【０１１４】
ステップＳ１５１では、クライアント１から文書情報の参照要求がネットワーク３経由で複合機２のネットワークＩ／Ｆ１２に通知される。ネットワークＩ／Ｆ１２は、コントローラボード１０の通電状況をチェックし、コントローラボード１０が電源ＯＦＦであれば、文書情報の参照要求を解析し、宛先情報を参照する。ステップＳ１５２に進み、ネットワークＩ／Ｆ１２は参照した宛先情報に応じて、文書情報の参照要求をリプリケーションサーバ４に転送する。
【０１１５】
リプリケーションサーバ４は、受信した文書情報の参照要求に応じて指定文書情報を取得する。ステップＳ１５３に進み、リプリケーションサーバ４は取得した指定文書情報をステップＳ１５２の参照要求に対する応答として複合機２のネットワークＩ／Ｆ１２に送信する。ステップＳ１５４に進み、ネットワークＩ／Ｆ１２は受信した指定文書情報をステップＳ１５１の参照要求に対する応答としてネットワーク３経由でクライアント１に送信する。
【０１１６】
図２５の処理によれば、省電力状態に遷移しないリプリケーションサーバ４へ複合機２のＨＤＤ１１に格納されている文書情報の複製を格納しておくことで、電源ＯＦＦのコントローラボード１０及びＨＤＤ１１を電源ＯＮにすることなく、ＨＤＤ１１に格納されている文書情報と同じ文書情報を利用できる。
【０１１７】
本発明は、具体的に開示された実施例に限定されるものではなく、特許請求の範囲から逸脱することなく、種々の変形や変更が可能である。本発明は、文書情報の複製をリプリケーションサーバ４へ格納する点でクライアント１等のスリープ処理と異なる。また、本発明はリプリケーションサーバ４からの文書情報の取得を失敗すると、自機のＨＤＤ１１への通電を再開して文書情報を取得する点でクライアント１等のバックアップ・リストア処理とも異なる。
【０１１８】
なお、特許請求の範囲に記載した制御手段がコントローラボード１０に相当し、格納手段がＨＤＤ１１に相当し、情報管理手段が文書管理サービス１０４に相当し、情報要求手段が文書管理クライアント１１４に相当し、アクセス制御手段がＭＣＳ１１１に相当し、メモリ手段がシステムメモリ２２やローカルメモリ２３に相当し、転送手段がネットワークＩ／Ｆ１２に相当する。
【図面の簡単な説明】
【０１１９】
【図１】複合機に格納されている文書情報をクライアントから参照する処理の模式図である。
【図２】複合機の一例のハードウェア構成図である。
【図３】複合機における電力モードの状態遷移を表した模式図である。
【図４】複合機が行う電力モード管理処理を表した模式図である。
【図５】レベル１の電力モードの複合機に格納されている文書情報をクライアントが取得する処理のシーケンス図である。
【図６】複合機，クライアントおよびリプリケーションサーバを備えたシステムの一例の構成図である。
【図７】複合機に格納されている文書情報をクライアントから参照する処理の一実施例の模式図である。
【図８】複合機に格納されている文書情報をクライアントから参照する処理の一実施例の模式図である。
【図９】リプリケーションサーバに格納されている文書情報を更新する処理の一実施例の模式図である。
【図１０】複合機に格納されている文書情報をクライアントから参照する処理の一実施例のシーケンス図である。
【図１１】複合機に格納されている文書情報を、クライアントから参照する処理の他の実施例の模式図である。
【図１２】複合機に格納されている文書情報を、クライアントから参照する処理の他の実施例の模式図である。
【図１３】文書管理サービス２０３の処理を表したフローチャートである。
【図１４】複合機に格納されている文書情報をクライアントから参照する処理の一実施例の模式図である。
【図１５】メモリ領域にキャッシュされている文書情報を更新する処理の一実施例の模式図である。
【図１６】複合機に格納されている文書情報をクライアントから参照する処理の一実施例の模式図である。
【図１７】リプリケーションサーバに格納されている文書情報を更新する処理の一実施例の模式図である。
【図１８】リプリケーションサーバに格納されている文書情報を更新する処理の一実施例の模式図である。
【図１９】リプリケーションサーバに格納されている文書情報を更新する処理の一実施例の模式図である。
【図２０】複合機に格納されている文書情報をクライアントから参照する処理の一実施例の模式図である。
【図２１】リプリケーションサーバ４に文書情報を格納するときに、複合機２からリプリケーションサーバ４に送信される文書情報を概略的に表した模式図である。
【図２２】リプリケーションサーバ４にユーザ情報を格納するときに、複合機２からリプリケーションサーバ４に送信されるユーザ情報を概略的に表した模式図である。
【図２３】リプリケーションサーバ４にログ情報を格納するときに、複合機２からリプリケーションサーバ４に送信されるログ情報を概略的に表した模式図である。
【図２４】リプリケーションサーバ４に機器設定情報を格納するときに、複合機２からリプリケーションサーバ４に送信される機器設定情報を概略的に表した模式図である。
【図２５】複合機に格納されている文書情報をクライアントから参照する処理の一実施例のシーケンス図である。
【符号の説明】
【０１２０】
１    クライアント
２    複合機
３    ネットワーク
４    リプリケーションサーバ
１０    コントローラボード
１１，２０４    ハードディスク装置
１２，２０１    ネットワークＩ／Ｆ
１３    プロッタ
１４    スキャナ
１５    操作部
１０１，２０２    ＮＣＳ
１０４，２０３    文書管理サービス
１０５    ユーザ情報管理サービス
１０６    ログ情報管理サービス
１０７    機器設定情報管理サービス
１１１    ＭＣＳ
１１３    ＳＣＳ
１１４    文書管理クライアント
【図１】
2006053902.tif 000003
【図２】
2006053902.tif 000004
【図３】
2006053902.tif 000005
【図４】
2006053902.tif 000006
【図５】
2006053902.tif 000007
【図６】
2006053902.tif 000008
【図７】
2006053902.tif 000009
【図８】
2006053902.tif 000010
【図９】
2006053902.tif 000011
【図１０】
2006053902.tif 000012
【図１１】
2006053902.tif 000013
【図１２】
2006053902.tif 000014
【図１３】
2006053902.tif 000015
【図１４】
2006053902.tif 000016
【図１５】
2006053902.tif 000017
【図１６】
2006053902.tif 000018
【図１７】
2006053902.tif 000019
【図１８】
2006053902.tif 000020
【図１９】
2006053902.tif 000021
【図２０】
2006053902.tif 000022
【図２１】
2006053902.tif 000023
【図２２】
2006053902.tif 000024
【図２３】
2006053902.tif 000025
【図２４】
2006053902.tif 000026
【図２５】
2006053902.tif 000027